(57)【特許請求の範囲】
【請求項１】
画面（３）およびグラフィックメモリ（２）を備える電子表示装置（１）の診断方法であって、
前記グラフィックメモリ（２）には、画面（３）に表示される画像の画像データ（１４）が記憶され、または更新され、
画面（３）または表示装置（１）の電流消費または電流消費の変化を表す値（１５）が測定され、
画像データ（１４）または画像データ（１４）の変化に基づいて、画面（３）または表示装置（１）の電流消費または電流消費の変化を表す基準値（１６）が求められ、前記測定された値（１５）と比較される診断方法において、
画面（３）に表示すべき１つの画像には、少なくとも２つの部分画像が割り当てられ、これらの中の第１の部分画像が、画像データがグラフィックメモリに記憶された画像を形成し、第２の部分画像は、その第２の部分画像の電流消費が画面（３）内の第１の部分画像の異なる位置に応じて変化するように選定されることを特徴とする診断方法。
【請求項２】
請求項１記載の方法において、
電流消費または電流消費の変化の測定を、測定抵抗（６）によって行うか、或いは電流消費に比例するインダクタンスの磁界を磁気検知センサ（１０）を介して検出する形でインダクタンス（９）によって行う方法。
【請求項３】
請求項１または２記載の方法において、
表示装置（１）がアース線路（５）と給電線路（４）の間に接続されており、該給電線路を介して表示装置（１）に電流が供給され、
電流消費値または電流消費の変化の測定が、給電線路（４）またはアース線路（５）で行われる方法。
【請求項４】
請求項１から３までのいずれか一項記載の方法において、
画面（３）の隠された領域（１１）の所定数の画素がオンされる方法。
【請求項５】
請求項１から４までのいずれか一項記載の方法において、
電子表示装置（１）が発光ダイオード（１８）を有する方法。
【請求項６】
請求項１から５までのいずれか一項記載の方法において、
基準値（１６）と測定値（１５）との比較結果に応じて状態信号（１７）が形成される方法。
【請求項７】
請求項１から６までのいずれか一項記載の方法を実施するための診断装置において、
画面（３）およびグラフィックメモリ（２）を備える電子表示装置（１）を有し、前記グラフィックメモリ（２）には、表示装置（１）に表示される画像の画像データ（１４）が記憶され、または更新され、
電流測定装置（６，７）を有し、該電流測定装置によって画面（３）または表示装置（１）の電流消費または電流消費の変化を表す値（１５）が測定され、
評価装置（８）を有し、該評価装置によって、画像データ（１４）または画像データ（１４）の変化に基づいて、画面（３）または表示装置（１）の電流消費または電流消費の変化を表す基準値（１６）が求められ、前記測定された値（１５）と比較され、
画面（３）に表示すべき１つの画像には、少なくとも２つの部分画像が割り当てられ、これらの中の第１の部分画像が、画像データがグラフィックメモリに記憶された画像を形成し、第２の部分画像は、その第２の部分画像の電流消費が画面（３）内の第１の部分画像の異なる位置に応じて変化するように選定される
ことを特徴とする診断装置。
【発明の詳細な説明】
【技術分野】
【０００１】
本発明は、画面およびグラフィックメモリを備える電子表示装置の診断方法に関する。グラフィックメモリには、画面に表示される画像の画像データが記憶され、または更新される。さらに本発明は、当該方法を実施するための装置に関する。
【背景技術】
【０００２】
現在市場にある、有機発光ダイオード（ＯＬＥＤ）を備える表示装置は、表示される画像の診断がグラフィックメモリの読出しにより可能である。すなわち、データ線路を介して表示装置に送信される画像の画像データがメモリに正常に記憶されなかった場合にはエラーとして識別することができる。送信された画像内容と読み出された画像内容とを比較することによってエラーを診断することができ、相応の手段を開始することができる。しかしＯＬＥＤドライバの設計により、グラフィックメモリとＯＬＥＤ画面との間の領域にエラーが表示される場合には、このことを識別できなくなる。
【発明の概要】
【発明が解決しようとする課題】
【０００３】
この従来技術から出発して本発明の基礎とする課題は、電子表示装置の診断手段を提供することであり、これによりグラフィックメモリに記憶された画像データが画面にエラーを伴って再生されることを検知可能にすることである。
【課題を解決するための手段】
【０００４】
この課題は請求項１の方法により解決される。有利な改善形態は従属請求項に示されている。
【０００５】
本発明の、画面とグラフィックメモリを備える電子表示装置の診断方法であって、グラフィックメモリに画面に表示される画像の画像データが記憶され、または更新される診断方法では、画面または表示装置の電流消費または電流消費の変化を表す値が測定され、画像データまたは画像データの変化に基づいて、画面または表示装置の電流消費または電流消費の変化を表す基準値が求められ、前記測定された値（測定値）と比較される。
【０００６】
各画素は、その動作形式に応じて特定に電流消費値を有しており、この電流消費値は例えば画素の色および／または明度により決定される。モノクロ表示装置（例えば白黒）であれば、各画素の電流消費は、調整された明度および／または画素がオンされているか、またはオフされているかにだけ依存する。画像データは、どの画素をどのように作動させるかについての情報を含んでいるから、この画像データに基づいて、どの画素がどの程度の電流消費を引き起こすか、または引き起こさなければならないかを求めることができる。したがって各画素について求められた電流消費を加算することにより、１つの画像に対するすべての画素の全体電流消費値を決定することができる。さらに表示装置および／または画面の他の電子構成素子の付加的な電流消費が既知であれば、この付加的な電流消費をオフセットとして考慮し、画素全体の全体電流消費値に加算することができる。したがって画面および／または表示装置について、特定の画面の表示の際に発生する、または発生しなければならない電流消費値が求められる。求められた電流消費値が所定の公差範囲内で、測定された電流消費値と一致しなければ、表示にエラーが存在する。好ましくは比較に基づいて、例えば表示エラーが存在するか否かという情報を含む状態信号が形成される。
【０００７】
画面がとりわけ複数の電気発光手段を有しており、各画素に少なくとも１つの電気発光手段が割り当てられており、および／または各画素が少なくとも１つの電気発光手段により形成されている。しかし各画素が複数の、例えば３つの電気発光手段を有し、これらが異なる色の光を放射することもできる。電気発光手段は、好ましくは発光ダイオードである。とりわけ電気発光手段の少なくとも一部は、有機発光ダイオード（ＯＬＥＤ）である。
【０００８】
グラフィックメモリは好ましくは、書き込みおよび／または読み出し可能メモリであり、とりわけランダムアクセスメモリ（ＲＡＭ）である。
【０００９】
電流消費値または電流消費の変化の測定は、好ましくは測定抵抗を介して行われる。その代わりに電流消費値または電流消費の変化の測定をインダクタンスで行うこともでき、電流消費に比例するインダクタンスの磁界が磁界検知センサにより検出される。
【００１０】
画面および／または表示装置は好ましくは、アース線路と給電線路との間に接続され、この給電線路を介して画面および／または表示装置には電流が供給される。この場合、電流消費値または電流消費の変化の測定は、例えば給電線路またはアース線路で行われる。
【００１１】
好ましくは表示装置は、符号の表示のために使用される。したがって本発明の方法によって、表示すべき符号が実際に表示されるかどうかを検査することができる。種々異なる符号を表示することができ、検査できるようにすべき場合、結果が明確であるべきなら、これらの符号は異なる電流消費を引き起こさなければならない。複数の符号が同じ電流消費を引き起こす場合に対しては、例えばこれらの符号の１つで、隠された画面領域の特定数の画素をオンすることができる（すなわち不可視の付加パターンがオンされる）。したがって、これら符号の可視領域が同じ電流消費を引き起こす場合でも、これらの符号をその異なる電流消費によって区別することができる。オンされた画素の数は、ユーザにとって画面領域が隠されているため可視ではないから、当該の符号の光学的印象は変化しない。
【００１２】
付加的パターンの画素の数は、その分子が画面の画素数に相当する分数の丸められた整数値に等しい。ここでこの分数の分母は、基数が２であるべき乗に等しく、このべき乗のべき指数は測定システムの分解能（とりわけビット）に相当する。
【００１３】
同じ電流消費を引き起こす異なる符号を区別するための別の手段は、符号の１つを少なくとも２つの部分画像に分解することである。例えば画面に表示すべき符号の１つに少なくとも２つの部分画像を割り当てることができ、これらの第１の部分画像が、画像データがグラフィックメモリに記憶された画像を形成する。したがって１つの部分画像を、この符号に対する残りの画像データが、この符号を完全に表示するためにグラフィックメモリにロードされるかについて検査することができる。好ましくはこの部分画像は、その電流消費がそれぞれ先行して表示された（つまり上書きすべき）画像の電流消費と異なるように選択される。画像データの段階的ロードまたは後ロードは、観察者の眼には不可視であるよう高速に行われる。観察者には、すべての画素が同時に表示されるかのように見える。さらに表示された画像を、例えば減少する電流消費を監視するために新たな画像のロード前に消去することができる。
【００１４】
１つの符号が複数のステップでグラフィックメモリにロードされる場合、１つのステップから次のステップへ変化する際に発生する電流差も検出することができる。表示装置が正しく動作すれば、測定された電流差は、画像データに基づいて計算された２つのステップでの電流差に相当する。
【００１５】
本発明はさらに、画面およびグラフィックメモリを備える電子表示装置を有する装置に関するものであり、グラフィックメモリには、表示装置により表示される画像の画像データが記憶され、または更新される。この装置はさらに、電流測定装置と評価装置を有し、電流測定装置は画面または表示装置の電流消費または電流消費の変化を表す値（測定値）を測定し、評価装置は画像データまたは画像データの変化に基づいて、画面または表示装置の電流消費または電流消費の変化を表す基準値を求め、これを前記測定値と比較する。この装置はとりわけ、本発明の方法の実施に使用することができ、この関連で述べた前記すべての態様にしたがって発展することができる。
【００１６】
好ましくは本発明の方法および／または本発明の装置は、自動車のシフトレバー装置の表示装置を診断または検査するために使用される。このような表示装置により、例えば車両のトランスミッションの現在シフトされているギヤが表示される。
【００１７】
表示された各画像に対して特徴的な電流消費を測定することにより、または画像データの変化により引き起こされる電流消費の変化を測定することにより、正しく表示されているかどうか診断することができる。電流測定は、測定抵抗（シャント）またはインダクタンスによって行うことができる。インダクタンスの場合、電流に比例する磁界が磁気検知素子、例えばホール素子により検出される。適用に対応して、電流測定を給電線路またはアース線路で行うことができる。
【００１８】
画素数が（偶然）同じ場合、画面の隠された領域により、特定の数の画素を診断クラスタとして用いることができる。とりわけこの画素は画像を識別するため、付加的な電流消費を引き起こすためにオンおよび／またはオフすることができる。クラスタの大きさ（画素（ｎ））は好ましくは、画面の大きさ（画素（ｐ））および測定システムの分解能（ビット（ｂ））により決定される。ｎ＝ｐ／２＾ｂ（ｎは丸められた整数）である。
【００１９】
本発明の利点は、グラフィックメモリとＯＬＥＤ画面との間にあるドライバＩＣまたはＯＬＥＤ表示装置のエラーの場合、エラーの影響の可能性についてこのような表示装置で拡張したエラー診断を実行できることである。ここで表示装置の診断は、電流測定を介して行われる。
【００２０】
以下、本発明を図面を参照しながら好ましい実施形態に基づき説明する。
【図面の簡単な説明】
【００２１】
【図１】本発明の第１実施形態による診断回路を備える表示装置の概略的ブロック回路図である。
【図２】本発明の第２実施形態による診断回路を備える表示装置の概略的ブロック回路図である。
【図３】グラフィックメモリおよび表示装置の画面表示の内容を概略的に示す図である。
【図４】本発明の第３実施形態による診断回路を備える表示装置の概略的ブロック回路図である。
【発明を実施するための形態】
【００２２】
図１には、グラフィックメモリ２とディスプレイまたは画面３を備える表示装置１が示されている。この表示装置には給電線路４を介して電流Ｉが供給される。さらに表示装置１はアース線路５と接続されており、このアース線路を介して電流Ｉが放出される。画面３は複数の発光ダイオード１８を有し、これらにより画面３の画素が形成される。モノ黒画面の場合は、各画素に例えば１つの発光ダイオード１８が対応する。カラー画面の場合は、各画素が複数の、とりわけ３つの発光ダイオード１８を有し、これらは好ましくは波長の異なる光を放射する。
【００２３】
給電線路４には測定抵抗６が接続されており、この抵抗で電圧Ｕが降下し、これが測定装置７によって測定される。測定抵抗６で降下する電圧Ｕは流れる電流Ｉに比例するから、測定抵抗６と測定装置７はともに電流測定装置を形成する。この電流測定装置は、流れる電流Ｉを表す測定値１５を、測定装置７と電気接続された評価装置８に送出する。評価装置８は測定値１５を基準値１６と比較する。この基準値は、グラフィックメモリ２に記憶されている画像データ１４に基づいて決定され、評価装置８に供給される。測定値１５と基準値１６が所定の公差内で一致すれば、表示装置１は正常に動作している。したがって電流測定装置と評価装置８はともに、表示装置１に対する診断回路を形成する。ここで表示装置１の状態に関する情報は状態信号１７として出力される。
【００２４】
図２には、本発明の第２実施形態による診断回路を備える表示装置１が示されている。ここで第１実施形態と同じまたは類似の要素には、第１実施形態と同じ参照符号が付してある。第２実施形態は、測定抵抗６がアース線路５に接続されている点で異なるだけである。第２実施形態のさらなる説明に関しては、第１実施形態の説明を参照されたい。
【００２５】
図４には、本発明の第３実施形態による診断回路を備える表示装置１が示されている。ここで先行の実施形態と同じまたは類似の要素には、先行の実施形態と同じ参照符号が付してある。第３実施形態は第２実施形態とは、測定抵抗の代わりにインダクタンス９（例えば電気コイル）がアース線路５に接続されている点で異なる。その代わりに、インダクタンス９を給電線路４に接続することもできよう。電流の流れるインダクタンス９は磁界を形成し、この磁界がホール素子１０により検出される。ホール素子は磁界に比例する電圧Ｕを測定装置７に送出する。この測定装置７はホール素子１０およびインダクタンス９とともに電流測定装置を形成する。第３実施形態のさらなる説明に関しては、先行の実施形態の説明を参照されたい。
【００２６】
図３には診断の概略が示されている。ここで第１列にはグラフィックメモリ２の内容が、第２列には画面３の表示が、第３列には表示エラーが発生したか否かの評価が示されている。
【００２７】
「画像１」によれば、数字「１」に対する画像データがグラフィックメモリ２に記憶されている。この画像データは計算では、２．５１ｍＡの特徴的な電流消費を表示装置に引き起こす。測定された電流消費も同様に２．５１ｍＡであり、したがって画面３によりグラフィックメモリの内容が正確に表示される。エラーは存在していない。この場合、両方の電流消費値は一致する。しかし実際には、測定された値が計算値から異なることもある。しかし好ましくは、このような偏差があっても、これが所定の公差内にあればエラーは存在しない。
【００２８】
「画像２」によれば、数字「２」に対する画像データがグラフィックメモリ２に記憶されている。この画像データは計算では、２．８５ｍＡの特徴的な電流消費を引き起こす。しかし測定された電流消費は２．５１ｍＡだけである。したがって間違った表示が存在する。図３から分かるように、画面により「画像１」による数字「１」が表示されている。
【００２９】
「画像３」によれば、数字「１」の画像データがグラフィックメモリに記憶されている。しかしこの数字は、「画像１」に表示されたのとは画面中の別の個所に表示されることになる。「画像３」による数字「１」は画像「１」の数字「１」と同じ電流消費を引き起こすことになるから、「画像３」により付加的パターン１２がグラフィックメモリ２の領域１３にロードされる。この領域１３は画面３の隠された領域１１に割り当てられており、したがって付加的パターン１２は観察者には不可視である。しかし付加的パターン１２は、「画像３」の計算での２．５５ｍＡとなる電流消費に影響を及ぼす。
【００３０】
しかし測定された電流消費は２．５１ｍＡだけである。したがって間違った表示が存在する。図３から分かるように、画面により「画像１」による数字「１」が表示されている。
【符号の説明】
【００３１】
１  表示装置
２  グラフィックメモリ
３  画面
４  給電線路
５  アース線路
６  測定抵抗
７  測定装置
８  評価装置
９  インダクタンス
１０  ホール素子
１１  画面の隠された領域
１２  付加的パターン
１３  グラフィックメモリのメモリ領域
１４  画像データ
１５  測定値
１６  基準値
１７  状態信号
１８  発光ダイオード
【図１】
0005473938.tif 000002
【図２】
0005473938.tif 000003
【図３】
0005473938.tif 000004
【図４】
0005473938.tif 000005